【事件の表示】
　平成　５年特許願第１６５５７０号「ＳＡＷフィルタ」拒絶査定不服審判事件〔平成　７年　１月２４日出願公開、特開平　７−　２２８９２〕について、次のとおり審決する。
【結　論】
　本件審判の請求は、成り立たない。
【理　由】
【１】本願発明
　本願は、平成5年7月5日に特許出願されたものであって、その請求項1に係る発明は、平成15年3月10日付け手続補正書によって補正された明細書及び図面の記載からみて、その特許請求の範囲に記載されたとおりのものと認められるところ、当該請求項1に係る発明は次のとおりのものと認める。
「【請求項1】　圧電基板上に設けられた少なくとも1つ以上のIDT電極の表面波の伝播方向の前後にそれぞれ反射器が設けられてSAW共振子が構成され、このSAW共振子が少なくとも2つ以上伝播方向と直交する方向に近接して平行に配置されて、横結合多重モードSAWフィルタが構成され、この横結合多重モードSAWフィルタが並列接続のインダクタを介して多段縦続接続されているSAWフィルタにおいて、
　前記横結合多重モードSAWフィルタと横結合多重モードSAWフィルタとの多段縦続接続段間に並列接続されたインダクタの少なくとも一つに並列に抵抗を接続することを特徴とするSAWフィルタ。」
　
【２】引用刊行物
　原査定の拒絶の理由に引用された特開平5-129884号公報（以下「引用例」という。）には、その実施例と図面及びこれに係わる記載を参酌すると、以下のような技術的事項の記載が認められる。
（i）「【請求項１】　機械振動を利用する2つのフィルタ素子を組合せて対称モードの共振周波数と反対称モードの共振周波数とのモード結合により所望の通過周波数帯域を得るように励振媒体上に形成された多重モードフィルタを、複数段直列に接続した多段接続多重モードフィルタにおいて、
　当該多段接続多重モードフィルタの入力端及び出力端並びに前記多重モードフィルタ間の接続部分に、それぞれインダクタンス素子を並列に接続したことを特徴とする多段接続多重モードフィルタ。」（【特許請求の範囲】、第2頁左欄第2〜11行）
（ii）「【0027】　本発明は、かかる課題を解決するために成されたもので、通過帯域幅を広げつつ、通過帯域内の特性を良好に保つことができる多段接続多重モードフィルタを提供することを目的としている。」（段落【0027】、第3頁右欄第18〜21行）
（iii）「【0029】【作用】　例えば、弾性表面波共振器は、図2に示す回路に等価でき、この等価回路により弾性表面波共振器の共振周波数近傍の特性を表現することができる。
　【0030】　つまり、共振特性は、インダクタンスL1、容量C1び抵抗R1からなる直列アームによって決定し、反共振特性すなわち並列共振には、インターディジタル電極の静電容量C0が寄与する。」（段落【0029】【0030】、第3頁右欄第33〜40行）
（iv）「【0042】【実施例】　以下、本発明を多段接続された弾性表面波多重モードフイルタに適用した実施例を説明する。
　【0043】　図1はその弾性表面波多重モードフイルタの上面図である。
　【0044】　同図において、1は水晶基板である。
　【0045】　水晶基板1の表面には、2組の弾性表面波多重モードフィルタ2a、2bが直列に接続されるように形成されている。
　【0046】　各弾性表面波多重モードフィルタ2a、2bは、弾性表面波を励振するインターディジタル電極（以下、IDTと呼ぶ。）3a及びIDT3aの両側に弾性表面波を反射させる反射器4a、5aを配置してなる弾性表面波共振器6aと、同様にIDT3b及び反射器4b、5bを配置してなる弾性表面波共振器6bとが、共通電極7を共有してなるものである。
　【0047】　ここで、上記IDT3a、3bの電極指交差幅WLは、対称モードの共振周波数fsと反対称モードの共振周波数faにより決まる比モード間周波数差　　(fa-fs)/faが0.0004以上の条件、すなわちWL≦10λに設定されている。
　【0048】　また、弾性表面波多重モードフィルタ2a、2bの入力端8及び出力端9並びに弾性表面波多重モードフィルタ2a、2b間の接続部分10には、それぞれインダクタンス素子11a、11b、11cが並列に接続されている。そして、これらインダクタンス素子11a、11b、11cのインダクタンスLxの値は、共振周波数と反共振周波数との差(f1-f2)がモード間周波数差(fa-fs)に等しくなるように調整されている。」（段落【0042】〜【0048】、第4頁左欄第46行〜同頁右欄第25行）
（v）「【0057】【発明の効果】　以上説明したように本発明によれば、多段接続多重モードフィルタの入力端及び出力端並びに多重モードフィルタ間の接続部分に、それぞれインダクタンス素子を並列に接続することで、反共振特性に寄与する静電容量を見かけ上小さくして共振周波数と反共振周波数との差を大きくしているので、通過帯域幅を広げつつ、通過帯域内の特性を良好に保つことができる。」（段落【0057】、第5頁右欄第3〜10行）
　
【３】対比・判断
　本願の請求項1に係る発明（以下「本願発明」という。）と上記引用例に記載された発明とを対比すると、引用例における「インダクタンス素子(11c)」は、本願発明における「インダクタ」に相当するので、両者は、以下のとおりの一致点及び相違点を有するものと認められる。
（一致点）
「圧電基板上に設けられた少なくとも1つ以上のIDT電極の表面波の伝播方向の前後にそれぞれ反射器が設けられてSAW共振子が構成され、このSAW共振子が少なくとも2つ以上伝播方向と直交する方向に近接して平行に配置されて、横結合多重モードSAWフィルタが構成され、この横結合多重モードSAWフィルタが並列接続のインダクタを介して多段縦続接続されているSAWフィルタ。」
（相違点）
　前記横結合多重モードSAWフィルタと横結合多重モードSAWフィルタとの多段縦続接続段間に並列接続されたインダクタに関し、本願発明にあっては、前記横結合多重モードSAWフィルタと横結合多重モードSAWフィルタとの多段縦続接続段間に並列接続されたインダクタの少なくとも一つに並列に抵抗を接続するものであるのに対して、引用例にあっては、このように構成されていない点、
（検討）
　前記相違点について検討すると、本願発明において、「インダクタの少なくとも一つに並列に抵抗を接続する」ことの技術的意義は、本願明細書の記載によれば、「本発明は、多段縦続接続の横結合多重モードSAWフィルタの段間に、インダクタと抵抗との並列回路を、接続することによって、帯域外減衰量を改善することができる。即ち、多段縦続接続された横結合多重モードSAWフィルタの段間に接続されたインダクタには、通常寄生容量が並列に接続された形になって、並列共振特性を示すが、本発明は、このインダクタと寄生容量との並列回路にさらに抵抗を並列に接続した形になり、インダクタと寄生容量との共振特性をダンピングするように作用して、帯域外減衰特性が改善されることになる。」（段落【0006】）というものであり、要は「共振特性をダンピングするように作用して、帯域外減衰特性を改善」することにあるものと認められる。
　しかしながら、引用例においても、前記摘記(v)に「インダクタンス素子を並列に接続することで、反共振特性に寄与する静電容量を見かけ上小さくして共振周波数と反共振周波数との差を大きくしているので、通過帯域幅を広げつつ、通過帯域内の特性を良好に保つことができる。」（段落【0057】）と記載されているように、本願発明が前提とする同様趣旨の帯域特性の改善に係わる技術的意義を達成するものであり、また、SAWフィルタに関して、共振特性をダンピングするように「インダクタに並列に抵抗を接続する」ことは従来より周知の技術的事項（必要であれば、特開昭57-7615号公報参照）であるので、上記引用例に記載されたものにおいても、インダクタにさらに並列に抵抗を接続することにより、本願発明のように構成することは当業者が容易になし得ることと認められる。
　また、本願発明により奏する作用効果も、当業者が予測し得る程度のものであって格別のものとは認められない。
　
【４】むすび
　以上のとおりであって、本願の請求項に係る発明は、上記引用例に記載された発明及び周知の技術的事項に基づいて当業者が容易に発明をすることができたものと認められるので、特許法第29条第2項の規定により特許を受けることができない。
　よって、結論のとおり審決する。